(57)【要約】【課題】  水面に浮遊する浮体同士の連結作業又は浮体と岸壁との間の連結作業を、容易且つ安全でしかも迅速にできるという浮体連結作業方法を提供する。【解決手段】  小形の浮台３の上面にユニバーサルジョイント４０１を用いて３軸方向に揺動できる構造の連結装置４をボルトでもって脱着自在に設置した連結浮台５を、浮体１，２間の水面に浮かべ、連結浮台５をウインチ装置を用いて一方の浮体１に移動させて連結浮台５の連結装置４の一端を浮体１の周縁に固定し、次に浮体１と連結浮台５を他方の浮体２に近付けて、連結浮台５の連結装置４の他端を浮体２の周縁に取付け、その後連結浮台５の連結装置４と浮台３との取付けを外して浮台３を分離して浮体１，２間の水面から退去させて浮体１，２を連結装置４で連結する。【選択図】図１  
2005239022.tif 000002
【特許請求の範囲】
【請求項１】
水面に浮遊する複数の浮体を連結装置で連結する浮体連結作業方法であって、小型の浮台上に連結装置を脱着自在に取付けた連結浮台を浮体間に浮かべ、連結浮台を一方の浮体に移動させ、移動された連結浮台上の連結装置の一端を一方の浮体の周縁に固着し、その後一方の浮体・連結浮台と他方の浮体とを引き寄せて連結装置の他端を他方の浮体の周縁に固着し、その後連結浮台の浮台を分離して取り除いて水面に浮かべた浮体間を連結装置で連結する、浮体連結作業方法。
【請求項２】
水面に浮遊する複数の浮体を連結装置で連結する浮体連結作業方法であって、小型の浮きブロックの側面に連結装置を水平に張り出すように取付けた連結浮きブロックを浮体の間の水面に浮かべ、同連結浮きブロックを浮体に移動させて移動された連結浮きブロックの連結装置の先端を一方の浮体の周縁に固着し、連結浮きブロックと他方の浮体とを引き寄せて連結浮きブロックの浮きブロックを他方の浮体の周縁の凹部に嵌入して同浮きブロックを他方の浮体周縁に固着して浮体間に連結装置を連結する、浮体連結作業方法。
【請求項３】
水面に浮遊する複数の浮体を連結装置で連結する浮体連結作業方法であって、連結装置の両端それぞれに小型の浮きブロックを取付けて連結装置を浮きブロック間に架設した連結ブリッジ浮体を浮体間に浮かべ、同連結ブリッジ浮体を一方の浮体に移動させて一方の浮体周縁の凹部に連結ブリッジ浮体の一方の浮きブロックを嵌合して固着し、連結ブリッジ浮体と他方の浮体とを引き寄せて他方の浮きブロックを他方の浮体の周縁の凹部に嵌入して固定して連結装置を浮体間に取付ける、浮体連結作業方法。
【請求項４】
水面に浮遊する複数の浮体を連結装置で連結する浮体連結作業方法であって、浮沈調整できる左右に分割可能な浮きドック上に連結装置を載置した連結浮きドック体を浮体間の水面に浮かべ、浮体を互いに近付けて同連結浮きドック体を浮体に近付けて同連結浮きドック体の連結装置の一端を一方の浮体の周縁に固着し、他方の浮体と連結装置の他端を他方の浮体の周縁に固着し、その後に浮きドックにバラストを入れて連結浮きドック体を沈降させ、浮きドックを左右に分離して浮体間から浮きドックを除いて浮体間に連結装置を取付ける、浮体連結作業方法。
【請求項５】
水面に浮遊する複数の浮体を連結装置で連結する浮体連結作業方法であって、所定間隔離した左右の小型の浮きブロックを連接部材で取外し自在に連結するとともに同連接部材に連結装置を取り外し可能に吊下げた連結吊下浮体を浮体間に浮かべ、浮体を引き寄せて一方の浮体と連結吊下浮体と他方の浮体とを近接させ、同連結吊下浮体の連結装置の一端を一方の浮体の周縁に固着し、連結装置の他端を他方の浮体の周縁に固着し、その後連接部材と左右の浮きブロックとの連結及び連接部材と連結装置の吊下連結を解いて浮きブロックと連接部材を分離して浮体間から取り除くようにして浮体間に連結装置を取付ける、浮体連結作業方法。
【請求項６】
水面に浮遊する複数の浮体を連結装置で連結する浮体連結作業方法であって、浮沈調整できる浮沈ブロックに連結装置を設け、同連結装置の一端に起伏自在なリンクアームを取付けた連結浮沈体を浮体間の水面上に浮かべ、同連結浮沈体を一方の浮体に近付けてそのリンクアームの先端を一方の浮体の周縁に固着し、連結浮沈体と他方の浮体とを引き寄せ、連結浮沈体の浮沈ブロックを他方の浮体の周縁の凹部上に位置させ、その後浮沈ブロックを沈下させて浮沈ブロックを同凹部に嵌合させて固着して浮体間を連結装置で連結する、浮体連結作業方法。
【請求項７】
水面に浮遊する浮体を連結装置で岸壁に連結する浮体連結作業方法であって、小型の浮台上に連結装置を脱着自在に取付けた連結浮台を浮体と岸壁との間に浮かべ、連結浮台を浮体に移動させ、移動された連結浮台上の連結装置の一端を浮体の周縁に固着し、連結浮台を岸壁に引き寄せて連結装置の他端を岸壁に固定し、その後連結浮台の浮台を分離して取り除いて水面に浮かべた浮体を連結装置で岸壁に連結する、浮体連結作業方法。
【請求項８】
水面に浮遊する浮体を連結装置で岸壁に連結する浮体連結作業方法であって、小型の浮きブロックの側面に連結装置を水平に張り出すように取付けた連結浮きブロックを浮体と岸壁の間の水面に浮かべ、同連結浮きブロックを浮体に移動させて移動された連結浮きブロックの連結装置の先端を浮体の周縁に固着し、連結浮きブロックを岸壁に引き寄せ、連結浮きブロックの浮きブロックを岸壁に形成された凹部に嵌入して同浮きブロックを岸壁に固着して浮体を岸壁に連結装置で連結する、浮体連結作業方法。
【請求項９】
水面に浮遊する浮体を連結装置で岸壁に連結する浮体連結作業方法であって、連結装置の両端それぞれに小型の浮きブロックを取付けて連結装置を浮きブロック間に架設した連結ブリッジ浮体を浮体と岸壁との間に浮かべ、同連結ブリッジ浮体を浮体に移動させて浮体周縁の凹部に連結ブリッジ浮体の一方の浮きブロックを嵌合して固定し、連結ブリッジ浮体を岸壁に引き寄せて他方の浮きブロックを岸壁に形成した凹部に嵌入して固着して浮体を岸壁に連結装置で連結する、浮体連結作業方法。
【請求項１０】
水面に浮遊する浮体を連結装置で岸壁に連結する浮体連結作業方法であって、浮沈調整できる左右に分割可能な浮きドック上に連結装置を載置した連結浮きドック体を浮体と岸壁との間の水面に浮かべ、同連結浮きドック体を浮体に近付けて同連結浮きドック体の連結装置の一端を浮体の周縁に固着し、連結浮きドック体を岸壁に引き寄せて連結装置の他端を岸壁に固着し、その後に浮きドックにバラストを入れて連結浮きドック体を沈降させ、浮きドックを左右に分離して浮体と岸壁との間から浮きドックを除き、浮体を岸壁に連結装置で連結する浮体連結作業方法。
【請求項１１】
水面に浮遊する浮体を連結装置で岸壁に連結する浮体連結作業方法であって、所定間隔離した左右の小型の浮きブロックを連接部材で取外し自在に連結するとともに同連接部材に連結装置を取り外し可能に吊下げた連結吊下浮体を浮体と岸壁との間に浮かべ、同連結吊下浮体を浮体に近付けて同連結吊下浮体の連結装置の一端を浮体の周縁に固着し、連結吊下浮体とを岸壁に引き寄せて連結装置の他端を岸壁に固着し、その後連接部材と左右の浮きブロックとの連結及び連接部材と連結装置の吊下連結を解いて浮きブロックと連接部材を分離して浮体と岸壁との間から取り除くようにして浮体間を連結装置で岸壁に連結する、浮体連結作業方法。
【請求項１２】
水面に浮遊する浮体を連結装置で岸壁に連結する浮体連結作業方法であって、浮沈調整できる浮沈ブロックに連結装置を設け、同連結装置の一端に起伏自在なリンクアームを取付けた連結浮沈体を浮体と岸壁との間の水面上に浮かべ、同連結浮沈体を浮体に近付けてそのリンクアームの先端を浮体の周縁に固着し、連結浮沈体を岸壁に引き寄せ、連結浮沈体の浮沈ブロックを岸壁に形成した凹部上に位置させ、その後浮沈ブロックを沈下させて浮沈ブロックを同凹部に嵌合させて固着して浮体を連結装置で岸壁に連結する、浮体連結作業方法。
【請求項１３】
水面に浮遊する浮体を連結装置で岸壁に連結する浮体連結作業方法であって、小型の浮きブロックの側面に連結装置を水平に張り出すように取付けた連結浮きブロックを浮体と岸壁の間の水面に浮かべ、同連結浮きブロックを岸壁に移動させて移動された連結浮きブロックの連結装置の先端を岸壁に固着し、連結浮きブロックを浮体に引き寄せ、連結浮きブロックの浮きブロックを浮体に形成された凹部に嵌入して同浮きブロックを岸壁に固着して浮体を岸壁に連結装置で連結する、浮体連結作業方法。
【請求項１４】
水面に浮遊する浮体を連結装置で岸壁に連結する浮体連結作業方法であって、浮沈調整できる浮沈ブロックに連結装置を設け、同連結装置の一端に起伏自在なリンクアームを取付けた連結浮沈体を浮体と岸壁との間の水面上に浮かべ、同連結浮沈体を岸壁に近付けてそのリンクアームの先端を岸壁周縁に固着し、連結浮沈体を浮体に引き寄せ、連結浮沈体の浮沈ブロックを浮体に形成した凹部上に位置させ、その後浮沈ブロックを沈下させて浮沈ブロックを同凹部に嵌合させて固着して浮体を連結装置で岸壁に連結する、浮体連結作業方法。
【請求項１５】
浮きブロックを、凹部へ嵌入方向に従って先細り状となるようにし、浮体又は岸壁の凹部の嵌合面も嵌入方向に従って縮巾し、浮きブロックの凹部への嵌合を円滑にでいるようにした、請求項２，３，８，９，１３記載の浮体連結作業方法。
【請求項１６】
浮沈ブロックを凹部へ嵌入方向に従って先細り状となるようにし、浮体又は岸壁の凹部の嵌合面も嵌入方向に従って縮巾し、浮きブロックの凹部への嵌合を円滑にでいるようにした、請求項６，１２記載の浮体連結作業方法。
【請求項１７】
連結装置として、３軸方向の回転をすべて可能に連結する連結機構を有する装置を使用した請求項１〜１６記載の浮体連結作業方法。
【発明の詳細な説明】
【技術分野】
【０００１】
本発明は、海・湖・河川等の水面上に浮遊する浮体を岸壁へ係留又は浮体同士を連結する浮体の連結作業方法に関する。
【背景技術】
【０００２】
従来、浮体の連結装置としては特許文献１に開示されているものがある。この装置は、浮体の対向間に設けられる連結継手としてボールジョイントを用いたものである。ボールジョイントは回動の軸方向性がないから、海域での波浪による浮体の揺動に対して柔軟に応答できる効果を有している。
本出願人は、このボールジョイントを用いた連結装置の欠点を解消するためユニバーサルジョイントを用いた新しい構造の浮体連結装置（カップリング装置）を開発した。
【０００３】
ところで、浮体は１０〜１０００トンと質量が大きいため、及び強い波浪に耐え得る強度を得るため、連結装置は大型化して重量も１トンを超える大きいものとなることが多い。又浮体同士又は浮体と岸壁との間に連結金具は浮体又は岸壁の所定位置に正確に取付けられる必要がある。
【０００４】
この連結装置の取付け作業は、浮体を水面に浮かべて浮体上で行う作業である。浮体は水面の波浪で揺動して不安定な状態であるため、連結装置の取付作業はきわめて難しく且つ危険な作業となっていた。
【０００５】
更に連結装置は１トン近くの重量となるため、クレーン装置、ウインチ装置、保持装置等の重量のある作業機を用いることとなるが、これら装置が浮体の連結する周縁側に設置されることで、更に浮体が傾斜したりして不安定となりがちでより危険性が高くなっていた。
【特許文献１】特開２００３−１９１８８８号公報
【発明の開示】
【発明が解決しようとする課題】
【０００６】
本発明が解決しようとする課題は、従来のこれらの問題点を解消し、浮体・岸壁への連結装置の取付け作業が容易で安全で且つ迅速に行えるという浮体連結作業方法を提供することにある。
【課題を解決するための手段】
【０００７】
かかる課題を解決した本発明の構成は、
１）  水面に浮遊する複数の浮体を連結装置で連結する浮体連結作業方法であって、小型の浮台上に連結装置を脱着自在に取付けた連結浮台を浮体間に浮かべ、連結浮台を一方の浮体に移動させ、移動された連結浮台上の連結装置の一端を一方の浮体の周縁に固着し、その後一方の浮体・連結浮台と他方の浮体とを引き寄せて連結装置の他端を他方の浮体の周縁に固着し、その後連結浮台の浮台を分離して取り除いて水面に浮かべた浮体間を連結装置で連結する、浮体連結作業方法
２）  水面に浮遊する複数の浮体を連結装置で連結する浮体連結作業方法であって、小型の浮きブロックの側面に連結装置を水平に張り出すように取付けた連結浮きブロックを浮体の間の水面に浮かべ、同連結浮きブロックを浮体に移動させて移動された連結浮きブロックの連結装置の先端を一方の浮体の周縁に固着し、連結浮きブロックと他方の浮体とを引き寄せて連結浮きブロックの浮きブロックを他方の浮体の周縁の凹部に嵌入して同浮きブロックを他方の浮体周縁に固着して浮体間に連結装置を連結する、浮体連結作業方法
３）  水面に浮遊する複数の浮体を連結装置で連結する浮体連結作業方法であって、連結装置の両端それぞれに小型の浮きブロックを取付けて連結装置を浮きブロック間に架設した連結ブリッジ浮体を浮体間に浮かべ、同連結ブリッジ浮体を一方の浮体に移動させて一方の浮体周縁の凹部に連結ブリッジ浮体の一方の浮きブロックを嵌合して固着し、連結ブリッジ浮体と他方の浮体とを引き寄せて他方の浮きブロックを他方の浮体の周縁の凹部に嵌入して固定して連結装置を浮体間に取付ける、浮体連結作業方法
４）  水面に浮遊する複数の浮体を連結装置で連結する浮体連結作業方法であって、浮沈調整できる左右に分割可能な浮きドック上に連結装置を載置した連結浮きドック体を浮体間の水面に浮かべ、浮体を互いに近付けて同連結浮きドック体を浮体に近付けて同連結浮きドック体の連結装置の一端を一方の浮体の周縁に固着し、他方の浮体と連結装置の他端を他方の浮体の周縁に固着し、その後に浮きドックにバラストを入れて連結浮きドック体を沈降させ、浮きドックを左右に分離して浮体間から浮きドックを除いて浮体間に連結装置を取付ける、浮体連結作業方法
５）  水面に浮遊する複数の浮体を連結装置で連結する浮体連結作業方法であって、所定間隔離した左右の小型の浮きブロックを連接部材で取外し自在に連結するとともに同連接部材に連結装置を取り外し可能に吊下げた連結吊下浮体を浮体間に浮かべ、浮体を引き寄せて一方の浮体と連結吊下浮体と他方の浮体とを近接させ、同連結吊下浮体の連結装置の一端を一方の浮体の周縁に固着し、連結装置の他端を他方の浮体の周縁に固着し、その後連接部材と左右の浮きブロックとの連結及び連接部材と連結装置の吊下連結を解いて浮きブロックと連接部材を分離して浮体間から取り除くようにして浮体間に連結装置を取付ける、浮体連結作業方法
６）  水面に浮遊する複数の浮体を連結装置で連結する浮体連結作業方法であって、浮沈調整できる浮沈ブロックに連結装置を設け、同連結装置の一端に起伏自在なリンクアームを取付けた連結浮沈体を浮体間の水面上に浮かべ、同連結浮沈体を一方の浮体に近付けてそのリンクアームの先端を一方の浮体の周縁に固着し、連結浮沈体と他方の浮体とを引き寄せ、連結浮沈体の浮沈ブロックを他方の浮体の周縁の凹部上に位置させ、その後浮沈ブロックを沈下させて浮沈ブロックを同凹部に嵌合させて固着して浮体間を連結装置で連結する、浮体連結作業方法
７）  水面に浮遊する浮体を連結装置で岸壁に連結する浮体連結作業方法であって、小型の浮台上に連結装置を脱着自在に取付けた連結浮台を浮体と岸壁との間に浮かべ、連結浮台を浮体に移動させ、移動された連結浮台上の連結装置の一端を浮体の周縁に固着し、連結浮台を岸壁に引き寄せて連結装置の他端を岸壁に固定し、その後連結浮台の浮台を分離して取り除いて水面に浮かべた浮体を連結装置で岸壁に連結する、浮体連結作業方法
８）  水面に浮遊する浮体を連結装置で岸壁に連結する浮体連結作業方法であって、小型の浮きブロックの側面に連結装置を水平に張り出すように取付けた連結浮きブロックを浮体と岸壁の間の水面に浮かべ、同連結浮きブロックを浮体に移動させて移動された連結浮きブロックの連結装置の先端を浮体の周縁に固着し、連結浮きブロックを岸壁に引き寄せ、連結浮きブロックの浮きブロックを岸壁に形成された凹部に嵌入して同浮きブロックを岸壁に固着して浮体を岸壁に連結装置で連結する、浮体連結作業方法
９）  水面に浮遊する浮体を連結装置で岸壁に連結する浮体連結作業方法であって、連結装置の両端それぞれに小型の浮きブロックを取付けて連結装置を浮きブロック間に架設した連結ブリッジ浮体を浮体と岸壁との間に浮かべ、同連結ブリッジ浮体を浮体に移動させて浮体周縁の凹部に連結ブリッジ浮体の一方の浮きブロックを嵌合して固定し、連結ブリッジ浮体を岸壁に引き寄せて他方の浮きブロックを岸壁に形成した凹部に嵌入して固着して浮体を岸壁に連結装置で連結する、浮体連結作業方法
１０）  水面に浮遊する浮体を連結装置で岸壁に連結する浮体連結作業方法であって、浮沈調整できる左右に分割可能な浮きドック上に連結装置を載置した連結浮きドック体を浮体と岸壁との間の水面に浮かべ、同連結浮きドック体を浮体に近付けて同連結浮きドック体の連結装置の一端を浮体の周縁に固着し、連結浮きドック体を岸壁に引き寄せて連結装置の他端を岸壁に固着し、その後に浮きドックにバラストを入れて連結浮きドック体を沈降させ、浮きドックを左右に分離して浮体と岸壁との間から浮きドックを除き、浮体を岸壁に連結装置で連結する浮体連結作業方法
１１）  水面に浮遊する浮体を連結装置で岸壁に連結する浮体連結作業方法であって、所定間隔離した左右の小型の浮きブロックを連接部材で取外し自在に連結するとともに同連接部材に連結装置を取り外し可能に吊下げた連結吊下浮体を浮体と岸壁との間に浮かべ、同連結吊下浮体を浮体に近付けて同連結吊下浮体の連結装置の一端を浮体の周縁に固着し、連結吊下浮体とを岸壁に引き寄せて連結装置の他端を岸壁に固着し、その後連接部材と左右の浮きブロックとの連結及び連接部材と連結装置の吊下連結を解いて浮きブロックと連接部材を分離して浮体と岸壁との間から取り除くようにして浮体間を連結装置で岸壁に連結する、浮体連結作業方法
１２）  水面に浮遊する浮体を連結装置で岸壁に連結する浮体連結作業方法であって、浮沈調整できる浮沈ブロックに連結装置を設け、同連結装置の一端に起伏自在なリンクアームを取付けた連結浮沈体を浮体と岸壁との間の水面上に浮かべ、同連結浮沈体を浮体に近付けてそのリンクアームの先端を浮体の周縁に固着し、連結浮沈体を岸壁に引き寄せ、連結浮沈体の浮沈ブロックを岸壁に形成した凹部上に位置させ、その後浮沈ブロックを沈下させて浮沈ブロックを同凹部に嵌合させて固着して浮体を連結装置で岸壁に連結する、浮体連結作業方法
１３）  水面に浮遊する浮体を連結装置で岸壁に連結する浮体連結作業方法であって、小型の浮きブロックの側面に連結装置を水平に張り出すように取付けた連結浮きブロックを浮体と岸壁の間の水面に浮かべ、同連結浮きブロックを岸壁に移動させて移動された連結浮きブロックの連結装置の先端を岸壁に固着し、連結浮きブロックを浮体に引き寄せ、連結浮きブロックの浮きブロックを浮体に形成された凹部に嵌入して同浮きブロックを岸壁に固着して浮体を岸壁に連結装置で連結する、浮体連結作業方法
１４）  水面に浮遊する浮体を連結装置で岸壁に連結する浮体連結作業方法であって、浮沈調整できる浮沈ブロックに連結装置を設け、同連結装置の一端に起伏自在なリンクアームを取付けた連結浮沈体を浮体と岸壁との間の水面上に浮かべ、同連結浮沈体を岸壁に近付けてそのリンクアームの先端を岸壁周縁に固着し、連結浮沈体を浮体に引き寄せ、連結浮沈体の浮沈ブロックを浮体に形成した凹部上に位置させ、その後浮沈ブロックを沈下させて浮沈ブロックを同凹部に嵌合させて固着して浮体を連結装置で岸壁に連結する、浮体連結作業方法
１５）  浮きブロックを、凹部へ嵌入方向に従って先細り状となるようにし、浮体又は岸壁の凹部の嵌合面も嵌入方向に従って縮巾し、浮きブロックの凹部への嵌合を円滑にでいるようにした、前記２），３），８），９），１３）記載の浮体連結作業方法
１６）  浮沈ブロックを凹部へ嵌入方向に従って先細り状となるようにし、浮体又は岸壁の凹部の嵌合面も嵌入方向に従って縮巾し、浮きブロックの凹部への嵌合を円滑にでいるようにした、前記６），１２）記載の浮体連結作業方法
１７）  連結装置として、３軸方向の回転をすべて可能に連結する連結機構を有する装置を使用した前記１）〜１６）記載の浮体連結作業方法
にある。
【発明の効果】
【０００８】
本発明では、連結装置は浮体間の水面上又は水面下にあり、浮力のある小型の浮台，浮きブロック，浮きドック，浮沈ブロックによって支持されていて、これら浮台，浮きブロック，浮きドック，浮沈ブロック等の浮力によって水面上又は水面中を容易に移動できる。浮体間又は浮体と岸壁との間を簡単に移動できて、これに搭載した連結装置を浮体・岸壁に移動させられ、これらと取付ける作業も容易となる。更に、これら浮きブロック等の浮力体は連結装置取付け後連結装置から分離されて水面を移動して容易に除去されるか、又は浮体又は岸壁の凹部に嵌合して浮体又は岸壁と一体化されることとなるので、連結装置の作業に大型のクレーン装置、吊下げ装置は不要となるばかりか重量ある作業機の搬送・設置の作業もなく、工期は大巾に短縮して且つ容易となるという効果がある。
【発明を実施するための最良の形態】
【０００９】
本発明に用いられる浮台，浮きブロック，浮きドックは、内部を中空にして箱形にして浮力を得るタイプと、発泡樹脂等の軽量のプラスチックを充填して浮力を得るタイプとがあり、波浪が激しい水面、重量のある連結装置を浮上させるには、不蝕処理した強度のある鋼製の金属でもって製造することが好ましい。又これらのブロック・浮台・ドック等の浮力はバラスト等を入れて浮力を調整して連結装置の水面上高さを変えられることが好ましい。
本発明における浮体及び連結浮台，連結浮きブロック，連結ブリッジ浮体，連結浮きドック体，連結吊浮体，連結浮沈体，連結浮体を移動又は引き寄せるには、ワイヤを取り付けてウインチ装置を作動させてワイヤ引き寄せ方法を採用するのが実用的である。あるいは浮体は曳航船を使って動かしてもよい。
連結浮台等の連結装置を取付けた浮力体を浮体に近付ける方法として、浮力体を動かす場合と、浮体を動かす場合と、浮力体と浮体とを両方とも動かす場合とがあり、いずれを採用するかは現場の状況・浮体・浮力体の大きさ等で適宜決める。これらの近接の形態は本発明に含まれるものである。
連結装置と一方の浮体・他方の浮体の取付け順番、又は連結装置と浮体又は岸壁との取付けの順番は、浮体の大きさ、取付け・嵌合の易しさ等を考慮して適宜な順番とする。又は両端を同時に浮体・岸壁に取付けることができれば同時に取付けてもよく本発明はこれらの態様を含むものであり、又浮体同士又は浮体と岸壁側と同時に連結装置の両端を取付けてもよい。
【実施例１】
【００１０】
図１〜６に示す実施例１は、請求項１にかかわる発明の実施例であって、海上の大型鋼製浮体を連結する作業方法例で、連結浮台を使用し、連結装置は小型の浮台上に脱着自在に設けた例である。
図１は、実施例１の作業工程を示す説明図である。
図２は、実施例１の連結作業を示す説明図である。
図３は、実施例１に用いた連結装置の構造を示す一部切欠斜視図である。
図４は、実施例１に用いた連結装置の分解斜視図である。
図５は、実施例１に用いた連結装置の外観図である。
図６は、実施例１に用いた連結装置の外観図である。
【００１１】
図中、１，２は数十〜数千トン重量の鋼製又はコンクリート製あるいは鋼とコンクリートのハイブリッド製の浮体，３は小型の中空鋼製の浮台、４はユニバーサルジョイントを用いて上下，旋回，左右の３軸方向に揺動できるように連結するユニバーサルジョイントを用いた連結装置、５は浮台３の上面に連結装置４をボルトで脱着自在に取付けた連結浮台である。図中Ａは係留アーム、Ｇは岸壁、Ｗは海、Ｓは作業船を示す。
【００１２】
又、図中４０１〜４０８は連結装置４の構成部品を示すもので、４０１はユニバーサルジョイント、４０２は可動ヨーク、４０２ａは回転軸、４０２ｂはピン穴、４０３は固定ヨーク、４０３ａはピン穴、４０４はクロスピン、４０４ａはクロスピンボディ、４０４ｂは軸穴、４０４ｃはピン、４０４ｄは球体、４０４ｅはエンドキャップ、４０５は取付フランジ、４０５ａは取付ボルト、４０６はスラスト軸受、４０７はラジアル軸受、４０８は軸止フランジである。
【００１３】
実施例１のユニバーサルジョイント４０１は、図３，４に示すように基端部の後方に連結方向へ伸びる回転軸４０２ａを備えた可動ヨーク４０２と固定ヨーク４０３をクロスピンボディ４０４ａを介して対向配置し、独立したピン４０４ｃを可動ヨーク２のピン穴４０２ｂと固定ヨーク４０３のピン穴４０３ａを通じてクロスピンボディ４０４ａの軸穴４０４ｂに球体４０４ｄとともにそれぞれ軸挿し、エンドキャップ４０４ｅでピン穴４０２ｂ，４０３ａを封止して構成している。
【００１４】
図５，６に示すように、上記ユニバーサルジョイント４０１の固定ヨーク４０３を一方の浮体１，２の外面に取付プレート４０９を介して固着し、反対側の可動ヨーク４０２の回転軸４０２ａにスラスト軸受４０６及びラジアル軸受４０７を嵌挿するとともに取付フランジ４０５を介して軸止フランジ４０８を軸着し、取付フランジ４０５を他方の浮体Ｆの外面に取付プレート４０９を介して固着する。岸壁Ｇに隣接する浮体１，２は、岸壁Ｇ側に上記ユニバーサルジョイント４０１を取り付けた係留アームＡを介装して係留する。なお、スラスト軸４０６及びラジアル軸受４０７は一般的に金属製を用いるが、樹脂系摺動材を採用することもある。樹脂系摺動材は金属製の軸受と比較して剛性が低いから浮体１，２の揺動による衝撃力を効果的に緩和できる。また、バネ等の付勢手段を採用することもできる。
【００１５】
この実施例１では、地上又は作業船あるいは浮体１，２上にて、小型の浮台３の上面に図３〜６に示すユニバーサルジョイントを用いて３軸揺動できる連結装置４をボルトで脱着自在に設置して連結浮台５を製作する。
【００１６】
次に浮体１，２を浮かべた水面（海面）上に連結浮台５を浮かせ、連結浮台５を連結する浮体１，２間の水面まで移動させる。その後、連結浮台５をウインチ装置（図示せず）を用いてそのワイヤで引き寄せて一方の浮体１の方へ移動させ、連結浮台５の上の連結装置４の一端である固定ヨーク４０３を浮体１の周縁にボルトナット等で固定する。
【００１７】
次に、この浮体１と連結された連結浮台５とを他方の浮体２の方向に浮体間に掛け渡したワイヤのウインチ装置（図示せず）又は作業船Ｓによって引き寄せる。
そして連結浮台５の連結装置４の他端の取付フランジ４０５を浮体２側の取付プレート４０９にボルトナットで取付ける。
【００１８】
連結装置４の両端が浮体１，２側に取付けられた後、連結装置４と浮台５とを連結するボルトを外して分離し、その後浮台３を水面上移動させて浮体１，２間から退去させる。これによって、浮体１，２間を連結金具４を連結するものである。浮体１，２の連結分離は上記の逆の手順で行えばよい。
【００１９】
この実施例１の作業方法であれば、１トンに近い連結装置４を吊り上げ、吊り降ろして移動させるクレーン装置を必要とせずに連結作業が行える。従って仮設用クレーン装置の搬送・クレーン装置の浮体又は作業船への取付け作業又はクレーン船の準備が不要となって、作業工期を短くでき、且つ安全に且つコスト安く作業ができる。
【実施例２】
【００２０】
図７に示す実施例２は、実施例１で用いた連結装置４を鋼製の浮きブロック２３側面に取付けて水平に張り出させる１〜２トン程の連結浮きブロック２４を使用し、浮きブロック２３が浮体２の凹部２ａに嵌合してボルトナット（図示せず）で脱着自在に浮体２側と一体的に取付けられる例である。尚、連結装置４を外す必要がない場合は溶接で結合させて強固な連結とすることもできる。
図７は、実施例２の作業工程を示す説明図である。
この実施例２では、実施例１同様に船上又は地上にて浮きブロック２３の側面に連結装置４をボルトナット（図示せず）でもって取付けて連結浮きブロック２４を製作し、これを浮体１，２間の水面上に移動させて浮かべ、この連結浮きブロック２４を浮体１側に移動させ、連結浮きブロック２４の連結装置の一端の固定ヨーク４０３を浮体１の周縁にボルトナットで固定する。
次に、浮体１と連結された連結浮きブロック２４を他方の浮体２にウインチ装置等を用いて近付け、連結浮きブロック２４の浮きブロック２３を他方の浮体２の凹部２ａに嵌入し、同浮きブロック２３と浮体２の凹部２ａ周辺とをボルトを用いて脱着自在に固定する。これによって連結装置４は浮体１，２間に取付けられる。浮きブロック２３は他方の浮体２の一部となって一体化して、そのまま使用される。
この実施例２では、浮きブロック２３を介して浮体２に取付けられるので取付強度が高くなり、又浮きブロック２３の連結後の分離退去作業がなくて済むという効果がある。他は実施例１の通りである。
【実施例３】
【００２１】
図８で示す実施例３は、実施例２の浮きブロック３３を連結装置４の両端に取付けた連結ブリッジ浮体３５を使用する例であり、連結装置４の両端の浮きブロック３３を浮体１，２に移動させて浮体１の凹部１ａと浮体２の凹部２ａにそれぞれ嵌入し、ボルトで連結する例であり、この例では浮体１，２と連結装置４との取付強度が浮きブロック３３を使うことで更に高くなり、又浮きブロック３３の分離・退去作業も不要であるという利点がある。他は実施例１，２と同様である。
図８は、実施例３の作業工程を示す説明図である。
【実施例４】
【００２２】
図９，１０に示す実施例４は、連結装置４をバラストの注入排出で浮沈調整できる左右に分割できる浮きドック４３に連結装置４に載置して、連結浮きドック体４５を製作し、この連結浮きドック体４５を浮体１，２間に浮かべ、浮きドック４３の上端に設けたボラード４３ａと浮体１，２の上面との間に引き寄せロープ４６を張り渡し、このロープ操作で浮体１，２間及び浮体１，２と連結浮きドック体４５の間を近付けるように操作する。近付けて連結装置４を浮体１，２に接触させ、連結装置４の一端の固定ヨーク４０３と他端の取付フランジ４０５とをそれぞれ浮体１，２の周縁にボルトで脱着自在に取付け、その後浮きドック４３にバラストを入れて沈降させ、更に左右に分割し、その浮きドック４３の左右部分４５ａ，４５ｂを連接する連接部材４５ｃを分離する。これによって浮きドック４３は左右に分割して浮体１，２間から除去退去させることができる。
これによって連結装置４は浮体１，２間に取付けられた状態で残されて浮体を連結させる例である。他は実施例１と同様である。
図９，１０は、実施例４の作業工程を示す説明図である。
【実施例５】
【００２３】
図１１，１２に示す実施例５は、所定間隔離した左右の小型の浮きブロック５３を所定間隔離して連接部材５４で取外し自在に取付け、同連接部材の中間に連結装置４を吊金具５５によって取外し自在に吊り下げて連結吊下浮体５６を形成する。次に浮きブロック５３の上面の設けたボラード５７と浮体１，２の上面のボラード１１との間にロープ５８を掛け渡し、このロープ５８を用いて浮体１，２を互いに引き寄せ、連結吊下浮体５６の連結装置４を各浮体１，２の周縁に接触させ、連結装置４の両端をそれぞれ浮体１，２の周縁に取外し自在に固着する。その後、吊金具５５を外して連結装置４と連接部材５４を分離し、更に連接部材５４と浮体１，２との連結を解いて、左右の浮きブロック５３と連接部材５４を浮体１，２の間の水面から退去させる。
これによって連結装置４によって浮体１，２間が連結される。
図１１は、実施例５の連結工程を示す説明図である。
図１２は、実施例５の浮きブロックと連接部材の分離・退去工程を示す説明図である。
【実施例６】
【００２４】
図１３に示す実施例６は、バラストの注入・排出で浮沈できる鋼製タンクの浮沈ブロック６３に連結装置４を設け、同連結装置の一端にリンクアーム（ヨークアーム）６４を取付けた連結浮沈体６５を形成し、同連結浮沈体を浮体１，２間の水面に浮かべ、同連結浮沈体６５を浮力が大の状態にして移動させて一方の浮体１の周縁にリンクアーム６４の先端を固着し、その後、一方の浮体１と連結浮沈体６５とを他方の浮体２に近付け、浮沈ブロック６３を他方の浮体２の下部周縁に形成した上方に開口した凹部２ｃの上方に位置させ、その後浮沈部６３にバラストを注入して浮沈ブロック６３を沈降させ、凹部２ｃに嵌合させる。浮沈ブロック６３はリンクアーム６４によって上下揺動可能にピン連結されている。その後浮沈ブロック６３と浮体２とをボルト（図示せず）等で脱着自在に固着する。
この実施例６は、浮沈ブロック６３の嵌合が浮沈ブロック６３の沈降によってゆっくりとなされ、特別の吊り装置・クレーン装置が不要である。又浮沈ブロック６３は浮体２と一体的に固着されるので、分離退出工程を不要にしている。
図１３は、実施例６の連結作業工程の説明図である。
【００２５】
図１４に示す実施例は、図１３に示す実施例６の変形例で、浮体２の凹部２ｃの底面に芯合わせ用の下方に従って巾が狭くなる小さな嵌入溝２ｄを形成し、浮沈ブロック６３の底面にこれと嵌合する嵌合突起６３ａを設けている。浮沈ブロック６３を沈降させる際に、嵌合突起６３ａが嵌入溝２ｄに嵌み合って且つその縮巾の傾斜によって浮沈ブロック６３が正確に凹部２ｃに嵌合するものである。他は実施例１，２と同様である。
（他の実施形態）
【００２６】
図１５，１６に示す他の実施例の形態は、実施例２のブロック体と浮体２の凹部２ａとの他の形状形態例である。本発明の浮きブロック，浮沈ブロックを嵌入方向に従って先細り状にし、又凹部を嵌入方向に縮巾した形態例を示すものである。
図１５ａの（ａ）は、浮きブロック２３の底面が嵌入方向に従って登り勾配となり、又凹部２ａの底面も登り勾配となり、両者間に上下に位置ずれがあっても互いに近付けるにつれて勾配面によって案内されて確実に嵌入するものである。
【００２７】
図１５（ｂ）は、浮きブロック２３・凹部２ａが平面からみて台形状に先細り状となった例であり、同様に円滑で確実な嵌入が可能となる。
【００２８】
図１５（ｃ）及び図１６は、浮きブロック２３の側面に先細りの係合突起２３ｄを設け、凹部２ａ側面にも嵌入方向に巾が狭くなる係合溝２ｊを形成し、浮きブロック２３の凹部２ａの嵌入とともに、係合突起２３ｄが係合溝２ｊに嵌合傾斜面に沿って案内されて嵌合することで、確実且つ円滑に嵌入され、且つ強度も高く連結できるもとしている。
本発明の浮沈ブロックも、上記浮きブロック２３と同じように、先細り状又は嵌合面を傾斜させることで、同様な効果を有するようにできる。
【産業上の利用可能性】
【００２９】
上記実施例１〜６は、浮体１，２間を連結する例であるが、一方が岸壁Ｇとなれば浮体と岸壁Ｇとを連結する方法として同様な作業工程で行えるものであり、一方の浮体が動かない岸壁に代わるだけであり、本願発明は浮体同士及び浮体と岸壁との連結方法を含むものである。
本発明は、海上の浮体を岸壁に係留する場合、又は海上又は河川・湖上の大型浮体を連結装置で互いに連結して広い海上フロート広場・海上空港の構築にも使用できる。又は海中養殖網の水面作業通路の構築等に使用できる。更に、大地震時等における災害復旧用の仮設浮体や同浮体への連絡橋等のすみやかな連結作業に使用できる。
【図面の簡単な説明】
【００３０】
【図１】実施例１の作業工程を示す説明図である。
【図２】実施例１の連結作業を示す説明図である。
【図３】実施例１に用いた連結装置の構造を示す一部切欠斜視図である。
【図４】実施例１に用いた連結装置の分解斜視図である。
【図５】実施例１に用いた連結装置の外観図である。
【図６】実施例１に用いた連結装置の外観図である。
【図７】実施例２の作業工程を示す説明図である。
【図８】実施例３の作業工程を示す説明図である。
【図９】実施例４の作業工程を示す説明図である。
【図１０】実施例４の浮きドックの沈降と分割を示す説明図である。
【図１１】実施例５の作業工程を示す説明図である。
【図１２】実施例５の左右の浮きドックと連接部材の分離と除去を示す説明図である。
【図１３】実施例６の作業工程を示す説明図である。
【図１４】実施例６の変形例を示す説明図である。
【図１５】本発明の浮きブロックの形状の他の形状形態を示す説明図である。
【図１６】図１５（ｃ）のＸ−Ｘ端面図である。
【符号の説明】
【００３１】
１  浮体
１ａ  凹部
２  浮体
２ａ  凹部
２ｃ  凹部
２ｄ  嵌入溝
３  浮台
４  連結装置
４０１  ユニバーサルジョイント
４０２  可動ヨーク
４０２ａ  回転軸
４０２ｂ  ピン穴
４０３  固定ヨーク
４０３ａ  ピン穴
４０４  クロスピン
４０４ａ  クロスピンボディ
４０４ｂ  軸穴
４０４ｃ  ピン
４０４ｄ  球体
４０４ｅ  エンドキャップ
４０５  取付フランジ
４０５ａ  取付ボルト
４０６  スラスト軸受
４０７  ラジアル軸受
４０８  軸止フランジ
４０９  取付プレート
５  連結浮台
２３  浮きブロック
２４  連結浮きブロック
３３  浮きブロック
３５  連結ブリッジ浮体
４３  浮きドック
４３ａ  ボラード
４５  連結浮きドック体
４６  ロープ
５３  浮きブロック
５４  連接部材
５５  吊金具
５６  連結吊下浮体
５７  ボラード
５８  ロープ
６３  浮沈ブロック
６３ａ  嵌合突起
６４  リンクアーム
６５  連結浮沈体
Ａ  係留アーム
Ｇ  岸壁
Ｗ  海
【図１】
2005239022.tif 000003
【図２】
2005239022.tif 000004
【図３】
2005239022.tif 000005
【図４】
2005239022.tif 000006
【図５】
2005239022.tif 000007
【図６】
2005239022.tif 000008
【図７】
2005239022.tif 000009
【図８】
2005239022.tif 000010
【図９】
2005239022.tif 000011
【図１０】
2005239022.tif 000012
【図１１】
2005239022.tif 000013
【図１２】
2005239022.tif 000014
【図１３】
2005239022.tif 000015
【図１４】
2005239022.tif 000016
【図１５】
2005239022.tif 000017
【図１６】
2005239022.tif 000018